(57)【要約】【課題】簡易な構成で、両電気コネクタ同士の位置合わせを安定的かつ容易に行わせることを可能とする。【解決手段】第１コネクタ１０に設けた嵌合ガイド面１３の延在方向一端側部分に、第２コネクタ２０の被ガイド部２３が当接する位置決め部１４を設けるとともに、嵌合ガイド面１３の延在方向他端側部分には、嵌合ガイド面１３を平坦面状に延在させて位置決め部１４を設けないようにしたことで、両電気コネクタ１０，２０同士を配線基板Ｐ１，Ｐ２と略平行に互いに向き合った状態で相対移動させ、第２コネクタ２０の被ガイド部２３を第１コネクタ１０の嵌合ガイド面１３の他端部分から一端部分に向かって位置決め部１４に当接させるように滑動させることで嵌合の位置合わせを行わせる構成としたものである。【選択図】図１４
2017016891.tif 000002
【特許請求の範囲】
【請求項１】
第１の配線基板の表面上に実装される第１コネクタと、第２の配線基板の表面上に実装される第２コネクタとが、相互に嵌合・抜去可能な関係に構成されたものであって、
前記第１コネクタが、前記第１の配線基板の表面と略平行に延在する平坦面からなる嵌合ガイド面を有するとともに、
前記第２コネクタは、前記第１コネクタの嵌合ガイド面上を滑動可能となるように形成された被ガイド部を有し、
前記第１コネクタに設けられた前記嵌合ガイド面の延在方向における一端側部分に、前記第２コネクタの被ガイド部が当接する位置決め部が設けられているとともに、前記嵌合ガイド面の延在方向における他端側部分には、前記位置決め部が設けられることなく当該嵌合ガイド面が平坦面状をなして延在していることを特徴とする基板接続用電気コネクタ装置。
【請求項２】
前記第１コネクタは、当該第１コネクタの長手方向に沿って略平行に延在する一対の長手側壁部と、それら一対の長手側壁部の長手方向における端部同士を結ぶ短手側壁部と、を有し、
前記嵌合ガイド面が、前記一対の長手側壁部及び短手側壁部の表面をなすように形成されていることを特徴とする請求項１記載の基板接続用電気コネクタ装置。
【請求項３】
前記位置決め部は、前記嵌合ガイド面から段差状をなして突出するように形成されていることを特徴とする請求項１記載の基板接続用電気コネクタ装置。
【請求項４】
前記位置決め部は、前記第１コネクタの長手方向及びその直交方向に平面略Ｌ字をなすように延在していることを特徴とする請求項３記載の基板接続用電気コネクタ装置。
【請求項５】
前記被ガイド部が、前記第２コネクタの長手方向の両端部分に取り付けられた固定金具の一部をなすように形成されていることを特徴とする請求項１記載の基板接続用電気コネクタ装置。
【請求項６】
前記第２コネクタは、当該第２コネクタの長手方向に沿って略平行に延在する一対の長手側壁部と、それら一対の長手側壁部の長手方向における端部同士を結ぶ短手側壁部と、を有し、
前記固定金具に設けられた前記被ガイド部が、前記長手側壁部及び短手側壁部の表面と面一をなすように形成されていることを特徴とする請求項５記載の基板接続用電気コネクタ装置。
【発明の詳細な説明】
【技術分野】
【０００１】
本発明は、配線基板に実装された状態で互いに嵌合される基板接続用電気コネクタ装置に関する。
【背景技術】
【０００２】
一般に、種々の電気機器において、スタッキングコネクタなどと呼ばれる基板接続用の電気コネクタ装置が広く採用されている。基板接続用電気コネクタ装置は、例えば第１の配線基板が連結された第１の電気コネクタの上方に、第２の配線基板が連結された第２の電気コネクタを対向するように配置して使用され、その対向状態から上方側の第２の電気コネクタが、下方側の第１の電気コネクタに向かって下降されるようにして押し込まれ、それによって両電気コネクタ同士が嵌合状態になされることで、第１及び第２の配線基板同士が電気的に接続されるようになっている。
【０００３】
ここで、上述した電気コネクタ同士の嵌合は、一方の電気コネクタが上下に反転されて互いに対向した配置関係になされた状態で行われることとなるが、上下を反転された一方の電気コネクタにおいては、電気コネクタの上方を配線基板が覆うこととなることから、下方側に配置された電気コネクタに対して上方側の電気コネクタがどのような相対位置にあるのかが確認できなくなり、両電気コネクタ同士が適正な嵌合位置に配置されていないままの状態で嵌合操作が行われるおそれがある。そのような不適正な位置関係にある両電気コネクタ同士の嵌合操作が行われると、両電気コネクタ同士の嵌合が十分に行われなくなって、いわゆる半嵌合状態のままで嵌合操作が完了することが考えられ、機器使用時に発生する衝撃等によって両電気コネクタ同士が導通不良に至る可能性もある。
【０００４】
これに対して、下記の引用文献１に開示された基板接続用電気コネクタ装置では、第１及び第２の電気コネクタにおけるコネクタ長手方向の両端部分に一対の嵌合ガイド部を設けており、例えば下方に配置された一方の電気コネクタの任意の位置に、他方の電気コネクタを上方から対向させるようにして接触させ、それら両電気コネクタ同士を相対的に移動させながら、その際における嵌合ガイド部の案内作用を利用することで、両電気コネクタ同士の位置合わせを行わせて嵌合操作の容易化を図っている。
【０００５】
しかしながら、このような従来の嵌合ガイド部を有する基板接続用電気コネクタ装置においては、双方の電気コネクタ同士を上下に接触させた際に、下方側の電気コネクタの嵌合ガイド部により形成されている凹所内に、上方側の電気コネクタの一端部分の角部が落ち込み易いという問題がある。すなわち、そのような落ち込みが生じると、両電気コネクタ同士が互いに傾斜した位置関係となって嵌り込んだ状態となってしまい、嵌合位置に向かっての相対移動が難しく且つ不安定となり嵌合作業性が低下する上に、衝突による破損を生じるおそれもある。
【先行技術文献】
【特許文献】
【０００６】
【特許文献１】特開２０１０−９７７２７号公報
【発明の開示】
【発明が解決しようとする課題】
【０００７】
そこで本発明は、簡易な構成で、両電気コネクタ同士の位置合わせを安定的かつ容易に行わせることができるようにした基板接続用電気コネクタ装置を提供することを目的とする。
【課題を解決するための手段】
【０００８】
上記目的を達成するため請求項１にかかる発明では、第１の配線基板の表面上に実装される第１コネクタと、第２の配線基板の表面上に実装される第２コネクタとが、相互に嵌合・抜去可能な関係に構成されたものであって、前記第１コネクタが、前記第１の配線基板の表面と略平行に延在する平坦面からなる嵌合ガイド面を有するとともに、前記第２コネクタは、前記第１コネクタの嵌合ガイド面上を滑動可能となるように形成された被ガイド部を有し、前記第１コネクタに設けられた前記嵌合ガイド面の延在方向における一端側部分に、前記第２コネクタの被ガイド部が当接する位置決め部が設けられているとともに、前記嵌合ガイド面の延在方向における他端側部分には、前記位置決め部が設けられることなく当該嵌合ガイド面が平坦面状をなして延在する構成が採用されている。
【０００９】
このような構成を有する本発明によれば、両電気コネクタ同士を嵌合させるにあたって、第２コネクタの被ガイド部を、第１コネクタの嵌合ガイド面の他端部分から一端部分の方向に向かって接触させながら移動させる際に、第１コネクタの嵌合ガイド面を形成している平坦面上を第２コネクタの被ガイド部が滑動していくことから、両電気コネクタ同士が配線基板と略平行に互いに向き合った状態で相対移動するとともに、最終的な嵌合位置まで移動が行われた際には、第２コネクタの被ガイド部が第１コネクタの位置決め部に当接して位置決めが行われることとなり、従来のように、嵌合が行われる前の段階で両コネクタ同士が傾斜した状態で接触して一方の電気コネクタが他方の電気コネクタに斜めに嵌り込むような事態が回避される。
【００１０】
また、請求項２にかかる発明のように、前記第１コネクタは、当該第１コネクタの長手方向に沿って略平行に延在する一対の長手側壁部と、それら一対の長手側壁部の長手方向における端部同士を結ぶ短手側壁部とを有し、前記嵌合ガイド面が、前記一対の長手側壁部及び短手側壁部の表面をなすように形成されていることが可能である。
【００１１】
さらに、請求項３にかかる発明のように、前記位置決め部は、前記嵌合ガイド面から段差状をなして突出するように形成されていることが可能である。
【００１２】
さらにまた、請求項４にかかる発明のように、前記位置決め部は、前記第１コネクタの長手方向及びその直交方向に平面略Ｌ字をなすように延在していることが可能である。
【００１３】
このような構成を有する本発明によれば、第２コネクタの被ガイド部が、第１コネクタの位置決め部に当接した時点で直ちに、両コネクタ同士が長手方向及びその直交方向に位置決めされることとなり、両コネクタの嵌合操作が効率的に行われる。
【００１４】
一方、請求項５にかかる発明のように、前記被ガイド部が、前記第２コネクタの長手方向の両端部分に取り付けられた固定金具の一部をなすように形成されていることが可能である。
【００１５】
また、請求項６にかかる発明のように、前記第２コネクタは、当該第２コネクタの長手方向に沿って略平行に延在する一対の長手側壁部と、それら一対の長手側壁部の長手方向における端部同士を結ぶ短手側壁部とを有し、前記固定金具に設けられた前記被ガイド部が、前記長手側壁部及び短手側壁部の表面と面一をなすように形成されていることが可能である。
【発明の効果】
【００１６】
以上述べたように本発明にかかる基板接続用電気コネクタ装置は、第１コネクタに設けた嵌合ガイド面の延在方向一端側部分に、第２コネクタの被ガイド部が当接する位置決め部を設けるとともに、嵌合ガイド面の延在方向他端側部分には、嵌合ガイド面を平坦面状に延在させて位置決め部を設けないようにしたことで、両電気コネクタ同士を嵌合させるように接触させた際に、両電気コネクタ同士を配線基板と略平行に互いに向き合った状態で相対移動させ、第２コネクタの被ガイド部を第１コネクタの嵌合ガイド面の他端部分から一端部分の方向に向かって位置決め部に当接させるように滑動させることで嵌合の位置合わせを行い、従来のように、嵌合が行われる前の段階で両コネクタ同士が傾斜した状態で接触して一方の電気コネクタが他方の電気コネクタに斜めに嵌り込むような事態が回避されるように構成したものであるから、簡易な構成で、両電気コネクタ同士の位置合わせを安定的かつ容易に行わせることができ、基板接続用電気コネクタ装置の信頼性を安価かつ大幅に高めることができる。
【図面の簡単な説明】
【００１７】
【図１】本発明の一実施形態にかかる第１の電気コネクタ（リセプタクルコネクタ）を上方側から表した外観斜視説明図である。
【図２】図１に示された本発明の一実施形態にかかる第１の電気コネクタ（リセプタクルコネクタ）を下方側から表した外観斜視説明図である。
【図３】図１及び図２に示された本発明の一実施形態にかかる第１の電気コネクタ（リセプタクルコネクタ）を表した平面説明図である。
【図４】図１〜図３に示された本発明の一実施形態にかかる第１の電気コネクタ（リセプタクルコネクタ）を表した正面説明図である。
【図５】図１〜図４に示された本発明の一実施形態にかかる第１の電気コネクタ（リセプタクルコネクタ）を表した側面説明図である。
【図６】図４中のVI−VI線に沿った拡大横断面説明図である。
【図７】図１〜図６に示された第１の電気コネクタ（リセプタクルコネクタ）に嵌合される本発明の一実施形態にかかる第２の電気コネクタ（プラグコネクタ）を上方側から表した外観斜視説明図である。
【図８】図７に示された本発明の一実施形態にかかる第２の電気コネクタ（プラグコネクタ）を下方側から表した外観斜視説明図である。
【図９】図７及び図８に示された本発明の一実施形態にかかる第２の電気コネクタ（プラグコネクタ）を表した平面説明図である。
【図１０】図７〜図９に示された本発明の一実施形態にかかる第２の電気コネクタ（プラグコネクタ）を表した正面説明図である。
【図１１】図７〜図１０に示された本発明の一実施形態にかかる第２の電気コネクタ（プラグコネクタ）を表した側面説明図である。
【図１２】図１０中のXII−XII線に沿った拡大横断面説明図である。
【図１３】印刷配線基板の構造例を表した外観斜視説明図である。
【図１４】本発明の一実施形態にかかる第１及び第２の電気コネクタ同士を嵌合させる途中で接触させた状態を表した平面説明図である。
【図１５】図１４に示された嵌合途中における第１及び第２の電気コネクタ同士の接触状態を表した正面説明図である。
【図１６】図１４及び図１５に示された嵌合途中における第１及び第２の電気コネクタ同士の接触状態を表した側面説明図である。
【図１７】本発明の一実施形態にかかる第１及び第２の電気コネクタ同士を嵌合可能な位置に配置させた状態を表した平面説明図である。
【図１８】図１７に示された嵌合可能な位置状態にある第１及び第２の電気コネクタを表した正面説明図である。
【図１９】図１７及び図１８に示された嵌合可能な位置状態にある第１及び第２の電気コネクタを表した側面説明図である。
【図２０】第１及び第２の電気コネクタが嵌合状態にあるときの拡大横断面説明図である。
【発明を実施するための形態】
【００１８】
以下、本発明を適用した実施形態について図面に基づき詳細に説明する。
【００１９】
［電気コネクタ装置の全体構造について］
図面に示された本発明の一実施形態にかかる基板接続用電気コネクタ装置は、例えば、携帯電話、スマートフォン、或いはタブレット型コンピュータ等の各種電子機器内に配置された配線基板同士を電気的に接続するように用いられるものであって、図１〜図６に示された第１の電気コネクタとしてのリセプタクルコネクタ１０と、図７〜図１２に示された第２の電気コネクタとしてのプラグコネクタ２０と、から構成されている。そして、リセプタクルコネクタ（第１の電気コネクタ）１０が、例えば図１３に示されている第１の配線基板Ｐ１に実装されるとともに、プラグコネクタ（第２の電気コネクタ）２０が、上述した第１の配線基板Ｐ１と同様な構成を有する第２の配線基板Ｐ２に実装され、そのような両電気コネクタ１０，２０の実装状態で対向配置されたリセプタクルコネクタ１０とプラグコネクタ２０とが互いに嵌合され、それによって第１及び第２の配線基板Ｐ１，Ｐ２同士の電気的な接続が行われる。
【００２０】
以下の説明においては、リセプタクルコネクタ（第１の電気コネクタ）１０と、プラグコネクタ（第２の電気コネクタ）２０との嵌合方向を「上下方向」とし、その上下方向における下方位置に配置されたリセプタクルコネクタ１０の上方位置にプラグコネクタ２０が配置され、そのような上下対向状態からプラグコネクタ２０が下方向に押し込まれることで、図２０に示されているようにして両電気コネクタ１０，２０同士の嵌合操作が行われる。また、そのような嵌合状態からプラグコネクタ２０が上方に向かって適宜の力で引き上げられることで、下方側のリセプタクルコネクタ１０からプラグコネクタ２０が上方に抜去される構成になされている。
【００２１】
上述したようにリセプタクルコネクタ（第１の電気コネクタ）１０にプラグコネクタ（第２の電気コネクタ）２０を嵌合・抜去する操作は、作業者の手で行われることに限られることはなく、所定の治具や機械によって自動的に行うようにしても良い。
【００２２】
なお、上述したように嵌合・抜去を行うにあたっては、下方に配置されたリセプタクルコネクタ（第１の電気コネクタ）１０に対して、上方側に配置されたプラグコネクタ（第２の電気コネクタ）２０の上下が反転された状態で対向配置されるが、プラグコネクタ２０の単体を説明するにあたっては、反転前の状態、すなわち下方の第２の配線基板Ｐ２に対して上方からプラグコネクタ２０を実装した状態で説明する。  
【００２３】
［各電気コネクタの構造について］
それらのリセプタクルコネクタ（第１の電気コネクタ）１０、及びプラグコネクタ（第２の電気コネクタ）２０は、細長状に延在する絶縁ハウジング１１及び２１を有している。それらの絶縁ハウジング１１及び２１は、プラスチック等の樹脂材を用いて例えばモールド成形されたものであるが、当該絶縁ハウジング１１及び２１の長手方向に沿って多数のコンタクト部材１２及び２２が、所定のピッチで多極状をなすように配列されている。これらのコンタクト部材１２及び２２の配列方向である絶縁ハウジング１１及び２１の長手方向を、以下において「コネクタ長手方向」と呼び、その「コネクタ長手方向」及び「上下方向」に直交する方向を「コネクタ幅方向」と呼ぶこととする。
【００２４】
ここで、上述した各絶縁ハウジング１１及び２１は、当該絶縁ハウジング１１及び２１の長手方向（コネクタ長手方向）に沿って略平行に延在する一対の長手側壁部１１ａ，１１ａ及び２１ａ，２１ａを有しているとともに、それら一対の長手側壁部１１ａ，１１ａ及び２１ａ，２１ａにおけるコネクタ長手方向の両端部の各々同士を結ぶ短手側壁部１１ｂ，１１ｂ及び２１ｂ，２１ｂを一体に有している。これらの各長手側壁部１１ａ，２１ａ及び短手側壁部１１ｂ，２１ｂは、平面略長方形状をなす底面板の外端縁から上方に立ち上がるように形成されており、それらの長手側壁部１１ａ，２１ａ及び短手側壁部１１ｂ，２１ｂによって平面略長方形状をなすコネクタ内方空間が形成されている。
【００２５】
このような絶縁ハウジング１１及び２１に対してコンタクト部材１２及び２２は、上述したようにコネクタ長手方向に多極状をなすように配列されているが、より具体的には、絶縁ハウジング１１，２１の長手側壁部１１ａ，１１ａ及び２１ａ，２１ａに一定のピッチで凹設されたコンタクト取付溝に対して各コンタクト部材１２及び２２が差し込まれるようにして装着されている。これらのコンタクト部材１２及び２２は、各々が２列の電極列を形成するようにコネクタ幅方向において対称的に向かい合う配置関係になされている。これらのコンタクト部材１２及び２２の各々により形成された２列の電極列は、コネクタ長手方向に沿って略平行に延在するように並設されている。
【００２６】
より具体的に説明すると、図６に示すようにリセプタクルコネクタ（第１の電気コネクタ）１０側のコンタクト部材１２が取り付けられている絶縁ハウジング１１には、上述した２列の電極列同士の間部分、すなわちコネクタ幅方向の中央部分に、底面板から上方に突出する仕切り板１１ｃがコネクタ長手方向に沿って延在するように設けられている。そして、その仕切り板１１ｃと、当該仕切り板１１ｃのコネクタ幅方向の両側に配置された長手側壁部１１ａ，１１ａとの間の空間部分に、両側の電極列を構成している一対のコンタクト部材１２，１２が、コネクタ幅方向に対称的な形状をなすように向かい合って取り付けられている。これらの各コンタクト部材１２は、コネクタ幅方向においてコネクタ中心側から外方側に向かって湾曲形状をなして延在するように折り曲げ形成されているが、当該コンタクト部材１２のコネクタ内方側部分には、凹形状をなして窪む嵌合凹部１２ａが形成されている。
【００２７】
一方、プラグコネクタ（第２の電気コネクタ）２０側のコンタクト部材２２が取り付けられている絶縁ハウジング２１は、上述した２列の電極列同士の間部分、すなわちコネクタ幅方向の中央部分が、コネクタ長手方向に延在する凹状空間になされている。そして、その絶縁ハウジング２１の凹状空間に対してコネクタ幅方向の両側に形成されている長手側壁部２１ａ，２１ａに、一対のコンタクト部材２２，２２がコネクタ幅方向に対称的な形状をなすように向かい合った状態で取り付けられている。これらの各コンタクト部材２２は、例えばインサート成形によって、長手側壁部２１ａの外周側に巻き付くようにして上方に突出するように配置されているが、当該コンタクト部材２２における上方突出部分は、嵌合凸部２２ａをなすように折り曲げ形成されている。
【００２８】
そして、両電気コネクタ１０，２０同士が嵌合されるにあっては、プラグコネクタ（第２の電気コネクタ）２０側のコンタクト部材２２の嵌合凸部２２ａが、リセプタクルコネクタ（第１の電気コネクタ）１０側のコンタクト部材１２の嵌合凹部１２ａの内方に嵌り込むように押し込まれ（図２０参照）、それによってコンタクト部材２２に設けられた接点部が、コンタクト部材１２側に設けられた接点部に対して弾性的に押圧接触し、両コンタクト部材１２，２２同士の電気的な接続が行われるようになっている。
【００２９】
ここで、上述したようにコンタクト部材１２及び２２は、各絶縁ハウジング１１及び２１の両長手側壁部１１ａ，２１ａからコネクタ幅方向の外方側に向かって突出する基板接続脚部１２ｂ，２２ｂを有している。これらの基板接続脚部１２ｂ，２２ｂは、コネクタ実装時に、第１及び第２の配線基板Ｐ１，Ｐ２の表面上の信号伝送用導電路Ｐ１ａ，Ｐ２ａ（図１３参照）にそれぞれ半田接合される。
【００３０】
［ガイド機構について］
一方、前述したようにプラグコネクタ（第２の電気コネクタ）２０がリセプタクルコネクタ（第１の電気コネクタ）１０に嵌合されるにあっては、以下に説明するようにプラグコネクタ２０に取り付けられたプラグ側固定金具２３が、リセプタクルコネクタ１０の絶縁ハウジング１１に設けられた嵌合ガイド面１３に沿って滑動する構成になされている。
【００３１】
まず、プラグコネクタ（第２の電気コネクタ）２０側に取り付けられたプラグ側固定金具２３は、本発明における被ガイド部の一部を構成するものであって、上述した絶縁ハウジング２１のコネクタ長手方向における両側部分に一対のプラグ側固定金具２３，２３が圧入により固定されている。それらの各プラグ側固定金具２３は、絶縁ハウジング１１の両端部分を上方側から覆うように装着されており、絶縁ハウジング１１の上面部分を覆う１体の被ガイド主面２３ａと、前述した絶縁ハウジング１１の長手側壁部２１ａ，２１ａ及び短手側壁部２１ｂを外方側から覆う３体の外端面板２３ｂ，２３ｂ，２３ｂとを備えている。
【００３２】
そのうちの被ガイド主面２３ａは、リセプタクルコネクタ（第１の電気コネクタ）１０への嵌合時に当該リセプタクルコネクタ１０に対向配置される平面略矩形状の板状部材から形成されており、前述した絶縁ハウジング２１の長手側壁部２１ａの上端縁を略同じ高さで延在する面一構成となるように配置されている。その被ガイド主面２３ａの外周縁を形成している平面略コ字状の三辺には、上述した外端面板２３ｂ，２３ｂ，２３ｂが、被ガイド主面２３ａの端縁から略直角下方に折れ曲がって延出するように連設されている。これらの各外端面板２３ｂは、絶縁ハウジング２１のコネクタ長手方向両側部分における長手側壁部２１ａ，２１ａ及び短手側壁部２１ｂの外表面に沿って平面略コの字状をなすように配置されているが、互いに隣り合う外端面板２３ｂ同士の間部分にはスリットが形成されており、互いに分離した状態で形成されている。
【００３３】
上述したプラグ側固定金具２３の外端面板２３ｂ同士の間部分に設けられたスリットの内方領域には、絶縁ハウジング２１の角部２１ｃが外方に露出するように配置されているが、そのスリットから露出する絶縁ハウジング２１の角部２１ｃの外表面は、プラグ側固定金具２３の被ガイド主面２３ａ及び外端面板２３ｂの外表面に対して連続する面形状を有しており、当該絶縁ハウジング２１の角部２１ｃは、プラグ側固定金具２３とともに被ガイド部の一部を構成している。このように本発明における「被ガイド部」は、プラグ側固定金具２３の被ガイド主面２３ａ及び外端面板２３ｂと、絶縁ハウジング２１の角部２１ｃとから構成されている。
【００３４】
これに対して、リセプタクルコネクタ（第１の電気コネクタ）１０側に設けられた嵌合ガイド面１３は、絶縁ハウジング１１の長手側壁部１１ａ，１１ａ及び短手側壁部１１ｂの上端面と面一構成をなすように形成されており、リセプタクルコネクタ１０が第１の配線基板Ｐ１に実装された際にあっては、当該嵌合ガイド面１３が、第１の配線基板Ｐ１の実装表面と略平行に延在する平坦面になされる。この嵌合ガイド面１３に対しては、プラグコネクタ（第２の電気コネクタ）２０の嵌合が行われる際に、上述したプラグ側固定金具２３を含む被ガイド部の一部が上方側から接触するように配置される関係になされており、当該嵌合ガイド面１３に沿ってプラグ側固定金具２３を含む被ガイド部が本来の嵌合位置まで滑動した際に位置決めが行われる構成になされている。
【００３５】
すなわち、前述したように絶縁ハウジング１１の一部である長手側壁部１１ａの上端面をなす嵌合ガイド面１３は、コネクタ長手方向に沿って平坦面状に延在しているが、絶縁ハウジング１１のコネクタ長手方向における両端部分のうちの一方側部分（図４の左端側部分）には、当該嵌合ガイド面１３から段差状をなして上方に突出する位置決め部１４が形成されている。これに対して、絶縁ハウジング１１のコネクタ長手方向における他方側部分（図４の右端側部分）には、上述したような位置決め部１４が設けられることなく、長手側壁部１１ａの上端面と同一の高さを有する嵌合ガイド面１３が延在している。
【００３６】
この絶縁ハウジング１１の他方側部分（図４の右端側部分）に設けられた嵌合ガイド面１３は、上述した両側の長手側壁部１１ａ，１１ａから、それらの長手側壁部１１ａ，１１ａ同士をコネクタ幅方向に掛け渡す短手側壁部１１ｂの上端面をなすように形成されており、そのような長手側壁部１１ａ，１１ａから短手側壁部１１ｂにかけての部位に、平面視において略コの字形状に延在する嵌合ガイド面１３が平坦面をなすように形成されている。
【００３７】
一方、絶縁ハウジング１１のコネクタ長手方向における一方側部分（図４の左端側部分）に設けられた位置決め部１４は、絶縁ハウジング１１の長手側壁部１１ａの上端面をなす嵌合ガイド面１３に対して段差状に突出する台座部分をなすように設けられており、平面視において略Ｌ字形状をなすように形成されている。より具体的には、当該位置決め部１４は、上述した絶縁ハウジング１１におけるコネクタ長手方向の一方側部分（図４の左端側部分）に配置された短手側壁部１１ｂの上端面を形成する長手方向係止部１４ａと、その長手方向係止部１４ａの延在方向（コネクタ幅方向）の片側端（図３の上端）から略直角に折れ曲がって延出して一方の長手側壁部１１ａの上端面をなす短手方向係止部１４ｂとを備えている。
【００３８】
この位置決め部１４を構成している長手方向係止部１４ａ及び短手方向係止部１４ｂにおける内壁面、すなわち前述したコネクタ内方空間を形成している立壁面は、プラグコネクタ（第２の電気コネクタ）２０の嵌合位置を規定する位置に配置されており、上述したようにリセプタクルコネクタ１０の嵌合ガイド面１３に沿って、プラグコネクタ２０のプラグ側固定金具２３及び絶縁ハウジング２１の角部２１ｃからなる被ガイド部が滑動することにより本来の嵌合位置まで移動してきた際に、当該位置決め部１４によって嵌合の位置決めが行われる構成になされている。
【００３９】
より具体的には、リセプタクルコネクタ（第１の電気コネクタ）１０に対してプラグコネクタ（第２の電気コネクタ）２０の嵌合が行われる際にあっては、まずプラグコネクタ２０の被ガイド部の一部、すなわちプラグ側固定金具２３の被ガイド主面２３ａ又は絶縁ハウジング２１の角部２１ｃの一部が、図１４〜図１６に示されているように位置合わせされていない状態で嵌合ガイド面１３に対して上方側から接触するように配置される。そして、そのプラグコネクタ２０に設けられた被ガイド部のうち、主としてプラグ側固定金具２３の被ガイド主面２３ａが、リセプタクルコネクタ１０の嵌合ガイド面１３上に接触しながら、コネクタ長手方向の一方側部分（図４の左端側部分）に設けられている位置決め部１４に向かって滑動するようにして移動される。
【００４０】
上述したように、リセプタクルコネクタ１０の嵌合ガイド面１３に沿って滑動することで位置決め部１４に至ったプラグコネクタ２０の被ガイド部、すなわちプラグ側固定金具２３及び絶縁ハウジング２１の角部２１ｃは、リセプタクルコネクタ１０の位置決め部１４の長手方向係止部１４ａ及び短手方向係止部１４ｂの各内方立壁面に当接し、それによって、リセプタクルコネクタ１０に対して、プラグコネクタ２０の全体がコネクタ長手方向及びコネクタ幅方向に嵌合位置に位置合わせされる。
【００４１】
また、リセプタクルコネクタ（第１の電気コネクタ）１０には、絶縁ハウジング１１のコネクタ長手方向における両端端部分よりややコネクタ中心側寄りの位置に、リセ側固定金具１５，１５が、絶縁ハウジング１１を上方側から覆うように装着されている。これらのリセ側固定金具１５の各々は、コネクタ長手方向の外方側から見たときに略Ｍ字形状をなすように折り曲げ形成されており、コネクタ幅方向における両側部分に立ち上がる山形状部分の上端面が、上述した嵌合ガイド面１３と略面一状態で連続するように形成されている。
【００４２】
そして、このリセプタクルコネクタ（第１の電気コネクタ）１０に設けられたリセ側固定金具１５の内方側領域に、前述したプラグコネクタ（第２の電気コネクタ）２０のプラグ側固定金具２３が嵌め込まれる構成になされており、その際に、プラグ側固定金具２３の外端面板２３ｂが、リセ側固定金具１５の内端面板に内方側から図示しない弾性を有したばね片等により押圧接触されることで、電気的な接続状態になされるようになっている。
【００４３】
また、このリセ側固定金具１５のコネクタ幅方向における両端部分には、同方向の外方側に向かって延出する一対の基板接続脚部１５ｂ，１５ｂが設けられている。これらの各基板接続脚部１５ｂは、第１の配線基板Ｐ１の表面に向かって延出する平板状部材から形成されており、コネクタ実装時に、第１の配線基板Ｐ１の表面上に形成されたグランド接続用導電路Ｐ１ｂ（図１３参照）に対して半田接合されるようになっている。
【００４４】
このような構成を有する本実施形態によれば、両電気コネクタ１０，２０同士を嵌合させるにあたって、プラグコネクタ（第２の電気コネクタ）２０の被ガイド部を構成するプラグ側固定金具２３及び絶縁ハウジング２１の角部２１ｃの一部が、リセプタクルコネクタ（第１の電気コネクタ）１０側に設けられた嵌合ガイド面１３に対して上方から接触配置される（図１４〜図１６参照）。そのプラグコネクタ２０の被ガイド部のうち、主としてプラグ側固定金具２３の被ガイド主面２３ａが、リセプタクルコネクタ１０の嵌合ガイド面１３に対して接触状態を維持しながら位置決め部１４に向かって滑動されていく。
【００４５】
このような両電気コネクタ１０，２０同士の相対移動は、第１及び第２の配線基板Ｐ１，Ｐ２の実装表面に対して略平行に互いに向き合った状態で行われることとなり、プラグコネクタ（第２の電気コネクタ）２０のプラグ側固定金具２３及び絶縁ハウジング２１の角部２１ｃからなる被ガイド部が、リセプタクルコネクタ（第１の電気コネクタ）２０の位置決め部１４を構成している長手方向係止部１４ａ及び短手方向係止部１４ｂに当接することで、最終的な嵌合位置における位置決めが行われる。従って、従来のように、嵌合が行われる前の段階で両コネクタ同士が傾斜した状態で接触したり、一方の電気コネクタが他方の電気コネクタに対して斜めに嵌り込むような事態が回避される。
【００４６】
特に、本実施形態においては、リセプタクルコネクタ（第１の電気コネクタ）１０の嵌合ガイド面１３から段差状をなして突出する位置決め部１４が、平面視において略Ｌ字をなすように延在していることから、プラグコネクタ２０側のプラグ側固定金具（被ガイド部）２３が、リセプタクルコネクタ１０の位置決め部１４に当接した時点で、両電気コネクタ１０，２０同士がコネクタ長手方向及びその直交方向に直ちに位置決めされることとなり、両電気コネクタ１０，２０の嵌合操作が効率的に行われる。
【００４７】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４８】
例えば、上述した実施形態におけるコンタクト部材１２，２２同士の凹凸嵌合関係は、リセプタクルコネクタ１０とプラグコネクタ２０との間において逆の関係に配置することが可能である。
【産業上の利用可能性】
【００４９】
以上のように本発明は、各種電子・電気機器に使用される多種多様な基板接続用電気コネクタ装置に対して広く適用することが可能である。
【符号の説明】
【００５０】
１０  プラグコネクタ（第１の電気コネクタ）
１１  絶縁ハウジング
１１ａ  長手側壁部
１１ｂ  短手側壁部
１１ｃ  仕切り板
１２  コンタクト部材
１２ａ  嵌合凹部
１２ｂ  基板接続脚部
１３  嵌合ガイド面
１４  位置決め部
１４ａ  長手方向係止部
１４ｂ  短手方向係止部
１５  リセ側固定金具
１５ｂ  基板接続脚部
２０  リセプタクルコネクタ（第２の電気コネクタ）
２１  絶縁ハウジング
２１ａ  長手側壁部
２１ｂ  短手側壁部
２１ｃ  角部（被ガイド部）
２２  コンタクト部材
２２ａ  嵌合凸部
２２ｂ  基板接続脚部
２３  プラグ側固定金具（被ガイド部）
２３ａ  被ガイド主面
２３ｂ  外端面板
Ｐ１  第１の配線基板
Ｐ１ａ  信号伝送用導電路
Ｐ１ｂ  グランド接続用導電路
Ｐ２  第２の配線基板
Ｐ２ａ  信号伝送用導電路
【図１】
2017016891.tif 000003
【図２】
2017016891.tif 000004
【図３】
2017016891.tif 000005
【図４】
2017016891.tif 000006
【図５】
2017016891.tif 000007
【図６】
2017016891.tif 000008
【図７】
2017016891.tif 000009
【図８】
2017016891.tif 000010
【図９】
2017016891.tif 000011
【図１０】
2017016891.tif 000012
【図１１】
2017016891.tif 000013
【図１２】
2017016891.tif 000014
【図１３】
2017016891.tif 000015
【図１４】
2017016891.tif 000016
【図１５】
2017016891.tif 000017
【図１６】
2017016891.tif 000018
【図１７】
2017016891.tif 000019
【図１８】
2017016891.tif 000020
【図１９】
2017016891.tif 000021
【図２０】
2017016891.tif 000022